(57)【特許請求の範囲】
【請求項１】
前部に形成されたバッテリ挿入口に連通して内部に形成されたバッテリ保持空間及び前記前部に前記バッテリ挿入口と並んで形成された電子部品挿入口に連通して前記バッテリ保持空間に隣接して内部に形成された電子部品保持空間を有する保持本体部材と、
前記保持本体部材の後部に取り付けられ、一端が前記バッテリ保持空間内に突出し、他端が前記保持本体部材の後部から外方に露出するバッテリ側第２端子と、
前記保持本体部材の後部に取り付けられ、一端が前記電子部品保持空間内に突出し、他端が前記保持本体部材の後部から外方に突出する電子部品側第２端子とを有し、
端部にバッテリ側第１端子を有するバッテリパックを前記バッテリ挿入口から前記バッテリ保持空間に挿入して前記バッテリ側第１端子と前記バッテリ側第２端子とを当接させて電気的に接続して保持するとともに、端部に電子部品側第１端子を有する電子部品を前記電子部品挿入口から前記電子部品保持空間に挿入して前記電子部品側第１端子と前記電子部品側第２端子とを当接させて電気的に接続して保持することにより、前記バッテリパックと前記電子部品とを隣接させて同時に挿抜自在に保持することを特徴とする複合保持手段。
【請求項２】
前記電子部品は電子記憶媒体であり、前記保持本体部材は、前記電子記憶媒体の前記保持本体部材への押し込み操作に応じて前記電子部品側第１端子と前記電子部品側第２端子が接触した状態で前記電子記憶媒体が前記保持本体部材に保持された接触状態位置及び前記電子記憶媒体を前記保持本体部材に対して挿抜可能な挿抜可能位置に位置決め保持するカム機構を有することを特徴とする請求項１に記載の複合保持手段。
【発明の詳細な説明】
【０００１】
【産業上の利用分野】
本発明は、複合保持手段に関し、さらに詳細には、端部にバッテリ側端子を有したバッテリパックと、端部にメモリ側端子を有したメモリカードと、バッテリパック及びメモリカードを挿抜自在に保持する保持部材とを有する複合保持手段に関する。
【０００２】
【従来の技術】
最近の電子機器は、小型軽量化が進むとともに、他社製品との差別化をより図るため、機器本来の機能そのものの付加機能を有したものが提案されている。例えば、機器に供給される電力の供給方法において、ＡＣ電源から直接に電力供給を受ける方法の他に、付加機能として機器本体にバッテリパックを搭載し、このバッテリパックから電力供給を受ける方法がある。
【０００３】
このように、機器本体にバッテリパックを搭載することで、機器がＡＣ電源のない場所に持ち運ばれた場合でも、バッテリパックからの電力供給により機器を駆動させることができる。また、電子記録媒体であるメモリを有したカード型のメモリカードを機器本体に挿抜自在に設けることで、メモリカードに情報を記憶させ及び情報を容易に取り出すことができ、パソコン等で処理することで情報の利用を拡大させることができる。
【０００４】
【発明が解決しようとする課題】
しかしながら、小型軽量化された機器ではその体積が小さいので、機器本体にバッテリパックの他にメモリカードを同時に装着するのは困難な状況になっている、という問題が発生する。これは、メモリカードを機器本体に装着させてその機能を果たさせるためには専用の部品、即ち、メモリカードを挿抜自在に保持させるカード保持体及びメモリカードを電気的に接続させる端子が必要になるから異なる電子部品を機器に装着するのは更に困難である、という問題が発生する。
【０００５】
本発明はこのような問題に鑑みてなされたものであり、小型化された電子機器において、機器本来の機能に付加機能を容易に追加することができる複合保持手段を提供することを目的とする。
【０００６】
【課題を解決するための手段】
前記課題を解決するために本発明の複合保持手段は、前部に形成されたバッテリ挿入口（例えば、実施形態におけるバッテリ装着孔７）に連通して内部に形成されたバッテリ保持空間（例えば、実施形態におけるバッテリ装着部９）及びバッテリ挿入口と並んで形成された電子部品挿入口（例えば、実施形態におけるカード装着孔１１）に連通してバッテリ保持空間に隣接して内部に形成された電子部品保持空間（例えば、実施形態におけるカード装着部１３）を有する保持本体部材（例えば、実施形態における複合保持部材１）と、保持本体部材の後部に取り付けられ、一端がバッテリ保持空間内に突出し、他端が保持本体部材の後部から外方に露出するバッテリ側第２端子と、保持本体部材の後部に取り付けられ、一端が電子部品保持空間内に突出し、他端が保持本体部材の後部から外方に突出する電子部品側第２端子（例えば、実施形態におけるメモリ側第２端子２３）とを有して構成される。そして、この複合保持手段は、端部にバッテリ側第１端子を有するバッテリパックをバッテリ挿入口からバッテリ保持空間に挿入してバッテリ側第１端子とバッテリ側第２端子とを当接させて電気的に接続して保持するとともに、端部に電子部品側第１端子（例えば、実施形態におけるメモリ側第１端子４７）を有する電子部品（例えば、実施形態におけるメモリカード５）を電子部品挿入口から電子部品保持空間に挿入して電子部品側第１端子と電子部品側第２端子とを当接させて電気的に接続して保持することにより、バッテリパックと電子部品とを隣接させて同時に挿抜自在に保持するように構成される。
【０００７】
上記構成の複合保持手段によれば、保持本体部材にバッテリパックを挿着保持させた状態にすると、バッテリ側第１端子がバッテリ側第２端子に電気的に接続され、保持本体部材に電子部品を挿着保持させた状態にすると、電子部品側第１端子が電子部品側第２端子に電気的に接続される。
【０００８】
このように、バッテリパックと電子部品を挿抜自在に保持可能な保持本体部材を一体で形成し、この保持本体部材にバッテリパックと電気的に接続するバッテリ側第２端子と、電子部品に電気的に接続する電子部品側第２端子とを設けることで、バッテリパックと電子部品を挿抜自在に保持させる保持手段を別個に設けていた従来技術と比較して、保持手段の大きさを小さくすることができ、小型化した機器内のスペースを有効に利用することが可能になる。また、部品点数が減少するので端子の実装作業の作業効率を向上させることができ、製造コストが安価になる。
【０００９】
また、上記構成の複合保持手段において、電子部品が電子記憶媒体（例えば、実施形態におけるメモリカード５）であり、保持本体部材は、電子記憶媒体の保持本体部材への押し込み操作に応じて電子部品側第１端子と電子部品側第２端子が接触した状態で電子記憶媒体が保持本体部材に保持された接触状態位置及び電子記憶媒体を保持本体部材に対して挿抜可能な挿抜可能位置に位置決め保持するカム機構（例えば、実施形態におけるカム突出部３３、カム溝５３）を有するように構成してもよい。
【００１０】
上記構成の複合保持手段によれば、電子記憶媒体が保持本体部材に押し込み操作されると、その押し込み操作に応じてカム機構が電子記憶媒体を接触状態位置又は挿抜可能位置に位置決めする。このように、保持本体部材にカム機構を設けることで、電子記憶媒体を複合保持手段に容易に挿着及び抜脱させることができる。
【００１１】
【発明の実施の形態】
以下、本発明の好ましい実施の形態を図１から図７を使用して説明する。本実施の形態はバッテリパックとメモリカードを挿抜自在に保持させる複合保持部材の態様を示す。
【００１２】
複合保持部材１は、図１に示すように、箱状のバッテリパック３と板状のメモリカード５を上下方向に重ねるように挿抜自在に保持させるものであり、複合保持部材１の上部にバッテリパック３を装着させるためのバッテリ装着孔７を備えたバッテリ装着部９を有し、複合保持部材１の下部にメモリカード５を装着させるためのカード装着孔１１を備えたカード装着部１３を有している。
【００１３】
バッテリ装着孔７は、図２（ｃ）に示すように、矩形状でその上部両端部がなめらかなＲ状を形成している。バッテリ装着孔７とカード装着孔１１間を仕切る仕切り板１５の上部右側であって図２（ｂ）に示す複合保持部材１の先端部（図２の上方側）には、左右方向へ所定の間隙を有して配置された一対の突出片１７が設けられている。この突出片１７における複合保持部材１の後端側の各側面であって、仕切り板１５から上方へ間隙Ｃを有するとともに右端から左側へ間隙（ａ）及び間隙（ａ＋ｂ）を有した位置に、金属性のバッテリ側第２端子１９が取り付けられている。バッテリ側第２端子１９の他端側は、図２（ａ）及び（ｂ）に示すように、複合保持部材１の先端側へ露出している。
【００１４】
このバッテリ装着孔７に装着されるバッテリパック３は、図３に示すように、カマボコ形状であり、その先端には底面から上方へ間隙Ｃを有し、且つ左端から右側へ水平方向に間隙（ａ）及び間隙（ａ＋ｂ）を有した位置に一対のバッテリ側第１端子２１が設けられている。
【００１５】
カード装着孔１１は、図２（ｃ）に示すように、矩形状であり、カード装着孔１１の底板の上部右側であって図２（ｂ）に示す複合保持部材１の先端部には、左右方向へ所定の間隙を有して配置された複数のメモリ側第２端子２３が設けられている。メモリ側第２端子２３の他端側は図２（ａ）に示す複合保持部材１の先端側へ突出している。図４（ａ）に示すカード装着孔１１の手前側には、メモリカード５をカード装着孔１１に挿抜させるとともにカード装着孔１１の軸心方向と同一方向に摺動するスライダ２５が設けられている。
【００１６】
スライダ２５は、図５（ａ）に示すように、直方体形状であり、その中央部には左右方向に延びる段部２７を有し、段部２７内には棒状の揺動部材２９が配設されている。揺動部材２９の左端は段部２７の左側端部に上下左右方向に揺動自在に接続され、揺動部材２９の右側端部がスライダ２５の延出方向と略同一方向に延出している。揺動部材２９の中間部には上方へ湾曲した係合突出部３１が設けられている。係合突出部３１は矩形状であり、係合突出部３１の左側の左側突出片３１ａと揺動部材２９の基部の延出方向とのなす角度θ１は鈍角を有している。係合突出部３１の頂部の頂部突出片３１ｂと揺動部材２９の基部の延出方向とのなす角度θ２は９０度を越え１８０度以下の角度を有している。
【００１７】
揺動部材２９の先端部には、図５（ｂ）に示すように、スライダ２５の延出方向と略直角方向へ屈曲したカム突出部３３が設けられている。このカム突出部３３の先端部は図５（ａ）に示すスライダ２５の側壁に設けられた切り欠き孔３５を挿通して外部に突出した状態に配設されている。図５（ｂ）に示す段部２７内にはカム突出部３３をその先端側へ付勢させる板ばね３７が取り付けられており、板ばね３７の先端部がカム突出部３３の後端部に当接して付勢している。スライダ２５の手前側側壁３９の右端には外側へ突出する係止段部４１が設けられている。また、図５（ａ）に示すスライダ２５の左端底部には左側壁に開口部４３ａを有しスライダ２５の延出方向へ延びたバネ挿着穴４３が設けられている。スライダ２５の左端上部には上方へ突出する板状の係止部４５が設けられている。
【００１８】
カード装着孔１１に装着されるメモリカード５は、図４（ａ）に示すように、その先端部にメモリカード５の幅方向に所定の間隙を有して配置された複数のメモリ側第１端子４７を有し、メモリカード５の先端左側の縁部には矩形状の段部４９が設けられている。この段部４９の外側形状はメモリカード５の先端に進むに従って漸次内側に傾斜する円弧状であり、段部４９よりもメモリカード５の後端側には先端が円弧状の係合凹部５１が設けられている。
【００１９】
図６（ａ）に示すように、カード挿通孔１１の底部にはカム溝５３が設けられている。カム溝５３は、図６（ｂ）に示すように、先端に２つの凸部５５を有し、その凸部５５から開口部１１ａ側へ延びて合流し更に開口部１１ａ側へ延びる逆Ｙ字状である。ここで、図７（ａ）はカム溝５３の平面図を示し、図７（ｂ）は同図（ａ）のＩ−Ｉ矢視に相当する部分の断面図を示し、図（ｃ）は同図（ａ）のＩＩ−ＩＩ矢視に相当する部分の断面図を示し、図（ｄ）は同図（ａ）のＩＩＩ−ＩＩＩ矢視に相当する部分の断面図を示す。
【００２０】
図７（ａ）及び（ｂ）に示すように、カム溝５３は点Ａから点Ｂまでは同一深さｙの平らな面であり、点Ｂから点Ｃまでは上方へ傾斜する傾斜面でありこの部分のカム溝５３の深さｙは点Ｃに進むに従って漸次浅くなる。点Ｃから点Ｄまでは点Ｃと同一深さｙを有した平らな面であり、点Ｄから点Ｅまでは段部を形成し，この部分のカム溝５３の深さｙは点Ｃのそれよりも深くなっている。また、図７（ｃ）に示すように、点Ｅから点Ｆまでは点Ｄから点Ｅまでと同一深さｙの同一面であり、点Ｆ乃至点Ｈまでは段部となりこの部分のカム溝５３の深さｙは点Ｄ乃至点Ｆのそれよりも深くなっている。点Ｈから点Ｉまでは段部となりこの部分のカム溝５３の深さｙは点Ｆ乃至点Ｈのそれよりも深くなっている。
【００２１】
更に、図７（ｄ）に示すように、点Ｉから点Ｊまでは点Ｈから点Ｉまでの面と同一面であり、点Ｊ乃至点Ｌまでは上方へ傾斜する傾斜面でありカム溝５３の深さｙは点Ｌに進むに従って漸次浅くなり、点Ｌは点Ａよりも上方に配設されている。このため、点Ｌよりも点Ａ側に段部が形成されている。図６（ｂ）に示す点Ａから上方に延出するカム溝５３は点Ａと同一深さの溝である。カード装着部１３の底板１３ａの上部にはカード装着孔１１側へ突出する係止突起５７ａを有した係止片５７が設けられている。この係止片５７はカード装着部１３の厚さ方向に弾性変形が可能である。
【００２２】
スライダ２５は、図４（ａ）に示すカード装着孔１１内の左側（図４の下方側）であって、係合突出部３１がメモリカード５側へ突出し且つカム突出部３３が図４の紙面の手前側から奥側へ突出するように配設されている。そして、カード装着孔１１内の端部に取り付けられたコイルバネ５９の端部がスライダ２５のバネ挿着穴４３に挿入されている。
【００２３】
次に、本発明の複合保持部材１の作用を説明する。最初に、バッテリパック３の挿抜作用を説明する。図示しない作業者が図１に示すバッテリ側第１端子２１を複合保持部材１側に向けた状態でバッテリパック３を把持して、バッテリパック３をバッテリ装着孔７に挿入する。バッテリパック３がバッテリ装着孔７に挿入されると、図２（ｂ）及び（ｃ）に示すように、バッテリパック３はバッテリ装着孔７の内壁面に案内されながら複合保持部材１の先端側に移動するとともに、一対のバッテリ側第１端子２１がバッテリ側第２端子１９側へ移動する。そして、バッテリ側第１端子２１がバッテリ側第２端子１９に当接して、バッテリパック３がバッテリ側第２端子１９に電気的に接続される。尚、バッテリパック３がバッテリ側第２端子１９に電気的に接続されると、バッテリパック３の後端は複合保持部材１の後端から所定の突出量を有した位置に突出する。
【００２４】
次に、複合保持部材１に装着された状態のバッテリパック３を複合保持部材１から取り出すには、作業者が複合保持部材１から突出するバッテリパック３の後端部を把持し、バッテリ側第２端子１９から離反する方向へ引っぱる。その結果、バッテリパック３が複合保持部材１から引き出されて取り出すことができる。
【００２５】
次に、メモリカード５の挿抜作用を説明する。メモリカード５を図１に示すカード装着孔１１に装着するには、図４（ａ）に示すように、メモリカード５の基部を把持しメモリ側第１端子４７を先端に向けてメモリカード５をカード装着孔１１に挿入する。メモリカード５がカード装着孔１１に挿入されると、メモリカード５の左側の側壁がスライダ２５の側壁と摺接し、メモリカード５がスライダ２５をメモリ側第２端子２３側へ移動させるとともに係合突出部３１を揺動させ、メモリカード５の段部４９がスライダ２５の係止部４５に当接することで、メモリカード５がスライダ２５に係止される。
【００２６】
ここで、図４（ｂ）はメモリカード５がスライダ２５に係止された状態を示し、同図に示すように、揺動部材２９の係合突出部３１の上下位置はカム溝５３の点Ａの位置でフリーの状態（メモリカード５をカード装着部１３に対して挿抜可能な状態）にあり（以下、この位置を「挿抜可能位置」と記す。）、この挿抜可能位置では、係合突出部３１の係合凹部５１内への突出量は僅かな状態にある。メモリカード５の段部４９の外側形状は円弧状であり、且つ係合突出部３１の頂部突出片３１ｂは右下側へ傾斜しているので、メモリカード５がカード挿入孔１１に挿入されてメモリカード５の円弧状の先端部が頂部突出片３１ｂに当接すると、揺動部材３１が下方へ揺動して頂部突出片３１ｂが下方へ移動する。このため、メモリカード５がスライダ２５の先端側に移動し、頂部突出片３１ｂの戻りによりメモリカード５がスライダ２５に係止される。
【００２７】
そして、挿抜可能位置からメモリカード５を更に押圧すると、スライダ２５はコイルバネ５９の付勢力に抗して先端側へ移動する。また、これと同時に、カム突出部３３が図７（ｂ）に示す点Ａ乃至点Ｄに移動して図４（ｂ）に示す揺動部材２９を上方へ揺動させて、係合突出部３１が係合凹部５１内へ深く挿入される。このため、メモリカード５とスライダ２５との係合状態が確実になる。また、スライダ２５の係止部４５にメモリカード５の段部４９が当接し、メモリカード５とスライダ２５の相対位置が定まり、メモリ側第１端子４７とメモリ側第２端子２３間の摩擦に抗してこれらを接続させることができる。
【００２８】
そして、カム突出部３３が図７（ａ）に示す点Ｄから点Ｅ（以下、点Ｅの位置を「下死点」と記す。）に移動してその移動が規制されると、作業者はメモリカード５の押圧を止める。メモリカード５の押圧が無くなると、図４（ａ）に示すコイルバネ５９の付勢力によりカム突出部３３が図７（ａ）に示す点Ｇに移動して停止する。更に詳細には、図７（ａ）及び（ｃ）に示すように、カム突出部３１が下死点（点Ｅ）に移動してメモリカード５への押圧が無くなると、カム突出部３１は点Ｅから点Ｄの方向へ移動するが、点Ｄは上方へ突出した段部の底部にあるのでカム突出部３３が点Ｄから点Ｃの方向へ移動することができず、点Ｆの方向へ移動し点Ｆよりも溝の深い点Ｇまで移動して停止する。そして、図４（ａ）に示すメモリ側第１端子４７がメモリ側第２端子２３に接続された状態でメモリカード５がカード装着部１３に装着される。尚、メモリ側第１端子４７とメモリ側第２端子２３が接触した状態でメモリカード５がカード装着部１３に保持された状態である図７（ａ）に示す点Ｇの位置を、以下「接触状態位置」と記す。
【００２９】
次に、接触状態位置にあるメモリカード５をカード装着部１３から抜脱させる場合について説明する。最初に、図４（ａ）に示すメモリカード５をメモリ側第２端子２３側へ押圧する。メモリカード５が押圧されると、カム突出部３３は図７（ａ）及び図７（ｃ）に示す点Ｇから点Ｈを通り点Ｉに移動し、点Ｉでその移動が規制される。（以下、点Ｉの位置を「下死点」と記す。）。そして、点Ｉでメモリカード５の押圧操作が無くなると、図４に示すコイルバネ５９の付勢力によりスライダ２５がメモリ側第２端子２３から離反する方向へ移動するとともに、図７（ａ）に示すカム突出部３３が点Ｉから点Ｊ、点Ｋ、点Ｌを通って点Ａの挿抜可能位置に戻って停止する。
【００３０】
ここで、図４（ｂ）に示すように、挿抜可能位置における係合突出部３１の係合凹部５１への突出量は小さいので、挿抜可能位置においてメモリカード５を引き抜く方向に力を作用させても、係合凹部５１の端部がカード装着部１３に引っ掛からずに、メモリカード５をカード装着部１３から容易に抜脱させることができる。
【００３１】
尚、前述した実施の形態では、メモリカード５をカード装着部１３に挿抜自在に装着させる例を示したがこれに限るものではなく、他の電子部品（例えば、ＩＣカード等）を挿抜自在に装着させるようにすることができる。また、図４（ｂ）に示すスライダ２５は揺動部材２９の先端にカム突出部３３を有しているがこれに限るものではなく、カム突出部３３を揺動部材２９と別個に設けることができる。この場合には、図４（ａ）に示すスライダ２５が摺動するカード装着孔１１の側壁にカム突出部３３を図４（ａ）の上下方向に移動自在に設け、カム突出部３３に対抗配置されたカム突出部３３の側壁に図７（ａ）に示すカム溝５３を刻設する。尚、カム突出部３３の先端がバネ等の付勢力を得て常時カム溝５３に当接させるようにする。このように構成することで、前述したカム突出部３３を揺動部材３１に備えたスライダ２５と同様に、メモリカード５をカード装着孔１１に挿抜自在に装着させることができる。
【００３２】
【発明の効果】
本発明による複合保持手段によれば、バッテリパックと電子部品を挿抜自在に保持可能な保持本体部材を一体で形成し、この保持本体部材にバッテリパックと電気的に接続するバッテリ側第２端子と、電子部品に電気的に接続する電子部品側第２端子とを設けることで、バッテリパックと電子部品を挿抜自在に保持させる保持手段を別個に設けた従来技術と比較して、保持手段の大きさを小さくすることができ、小型化した機器内のスペースを有効に利用することが可能になる。また、部品点数が減少するので端子の実装作業の作業効率を向上させることができ、製造コストが安価になる。
【００３３】
また、電子部品を電子記憶媒体とし、保持本体部材は、電子記憶媒体の保持本体部材への押し込み操作に応じて電子部品側第１端子と電子部品側第２端子が接触した状態で電子記憶媒体が保持本体部材に保持された接触状態位置及び電子記憶媒体を保持本体部材に対して挿抜可能な挿抜可能位置に位置決め保持するカム機構を有する場合には、電子記憶媒体が保持本体部材に押し込み操作されると、その押し込み操作に応じてカム機構が電子記憶媒体を接触状態位置又は挿抜可能位置に位置決めすることで、電子記憶媒体を複合保持手段に容易に挿着及び抜脱させることができる。
【図面の簡単な説明】
【図１】本発明の一実施の形態における複合保持部材とこれに挿着されるバッテリパック及びメモリカードの斜視図を示す。
【図２】本発明の一実施の形態における複合保持部材を示し、同図（ａ）は複合保持部材の右側面図であり、図（ｂ）は複合保持部材の平面図であり、同図（ｃ）は複合保持部材の左側面図であり、図（ｂ）は複合保持部材の正面図である。
【図３】本発明の一実施の形態におけるバッテリパックの斜視図を示す。
【図４】本発明の一実施の形態におけるカード装着部を示し、同図（ａ）はカード装着部の平面図であり、図（ｂ）はスライダの平面図である。
【図５】本発明の一実施の形態におけるスライダを示し、同図（ａ）はスライダの正面図であり、図（ｂ）はスライダの平面図であり、同図（ｃ）はスライダの右側面図である。
【図６】本発明の一実施の形態におけるカム溝を有したカード装着部を示す。
【図７】本発明の一実施の形態におけるカム溝を示し、同図（ａ）はカム溝の平面図であり、図（ｂ）は同図（ａ）のＩ−Ｉ矢視に相当する部分の断面図であり、図（ｃ）は同図（ａ）のＩＩ−ＩＩ矢視に相当する部分の断面図であり、図（ｄ）は同図（ａ）のＩＩＩ−ＩＩＩ矢視に相当する部分の断面図である。
【符号の説明】
１  複合保持部材（保持本体部材、複合保持手段）
３  バッテリパック
５  メモリカード（電子部品、電子記憶媒体）
１９  バッテリ側第２端子
２１  バッテリ側第１端子
２３  メモリ側第２端子（電子部品側第２端子）
３３  カム突出部（カム機構）
４７  メモリ側第１端子（電子部品側第１端子）
５３  カム溝（カム機構）
【図１】
0003584394.tif 000002
【図２】
0003584394.tif 000003
【図３】
0003584394.tif 000004
【図４】
0003584394.tif 000005
【図５】
0003584394.tif 000006
【図６】
0003584394.tif 000007
【図７】
0003584394.tif 000008